(57)【要約】      （修正有）【課題】被着火材に接触させるための通電による発熱体と、当該発熱体と被着火材が接触する部位に向けて送風するための送風器を備えることで着火性能を向上させた着火器を提供する。【解決手段】基板１３に、セラミック等の耐熱材からなるベース部材１６を取付具１６ａを用いて取り付ける。このベース部材１６には、うず巻き状の発熱体１４を配置し、制御部２０にて通電のＯＮ、ＯＦＦが制御されている。また、制御部２０には、通電タイマーを有する。発熱体（電熱体）１４の上方にはセラミックス等への耐熱材、あるいはステンレス等の金属製の筒状の外筒１５を取り付ける。この外筒１５の底部側の側部に吸気孔１５ａを有する。また、基板１３の下側には電気ファン等の小型の送風器を取り付け、送風孔１８からベース部材１６の下側に向けて送風される。これにより被着火材が発熱体１４に触れ、高温になり、送風されたエアーにより着火する。【選択図】図２
0003181055.tif 000002
【実用新案登録請求の範囲】
【請求項１】
被着火材に接触させるための通電による発熱体と、当該発熱体と被着火材が接触する部位に向けて送風するための送風器を備えたことを特徴とする着火器。
【請求項２】
通電を開始する操作部と、通電の開始後に所定時間経過すれば通電がＯＦＦになるように制御するタイマーを有することを特徴とする請求項１記載の着火器。
【請求項３】
耐火性のベース部材の上に前記通電による発熱体を配置し、
当該発熱体から上方に向けて立設した外筒を有し、
前記ベース部材の下に前記送風器の送風孔を配置し、外筒の上部から被着火材を挿入するものであることを特徴とする請求項１又は２記載の着火器。
【請求項４】
前記通電用の電源は２Ｃレート以上の放電特性を有する二次電池であることを特徴とする請求項１〜３のいずれかに記載の着火器。
【考案の詳細な説明】
【技術分野】
【０００１】
本考案は、線香の着火、お灸の点火、あるいは固形アロマに点火する等の各種着火して使用する材料への着火器に関する。
【背景技術】
【０００２】
これまでマッチ棒に替わる着火手段として、ガスライターが広く使用されている。
しかし、近年、子供のいたずら防止を目的にガスライターの着火レバーの動作力を大きく設定したり、安全装置を装着したものが増えている。
このようなガスライターは高齢者に扱い難いといった問題がある。
また、線香には細いものと太いものがあり、火そのものが付き難く、お灸や固形アロマの点火もガスライターでは付き難く、火災の原因になったり、ガス漏れが発生する問題もあった。                                                   
特許文献１に筒状体の内に線香の束を入れ吸引ファンで熱源を吸引する着火器を開示するが、装置が大きく実用的ではない。
【先行技術文献】
【特許文献】
【０００３】
【特許文献１】特開平９−３１０８５３号公報
【考案の開示】
【考案が解決しようとする課題】
【０００４】
本考案は、安全で着火性に優れる着火器の提供を目的とする。
【課題を解決するための手段】
【０００５】
本発明に係る着火器は、被着火材に接触させるための通電による発熱体と、当該発熱体と被着火材が接触する部位に向けて送風するための送風器を備えたことを特徴とする。
ここで、被着火材とは火を付けようとする材料全般をいい、通常点火すると表現されている態様も含まれる。
この中でも本考案は一般に着火（点火）しにくいとされている線香、お灸及び固形のアロマ材に適する。
本考案で、通電による発熱体とはニクロム線等の電気抵抗により発熱し高温になるものをいい、電熱体とも称されている。
線香には径が約１〜２ｍｍ程度の細かいものもあるが、約５ｍｍ程度の太いものもある。
これらを発熱体に接触させるだけでは着火に時間を要するが、送風器でエアーを供細してやると短時間で着火することが実験で明らかになった。
【０００６】
被着火材に火が付いたか否かを温度センサー等で検知する方法もあるが、それだけ高価になる。
そこで、予め着火時間を確認しておくことで、通電を開始する操作部と、通電の開始後に所定時間経過すれば通電がＯＦＦになるように制御するタイマーを有するようにすることができる。
このようにすると、温度センサーが作動せずに異常高温になる恐れもなく、所定時間後に通電がＯＦＦになるので安全である。
【０００７】
このような着火器の具体的構造としては、耐火性のベース部材の上に前記通電による発熱体を配置し、当該発熱体から上方に向けて立設した外筒を有し、前記ベース部材の下に前記送風器の送風孔を配置し、外筒の上部から被着火材を挿入する構造が例として挙げられる。
【０００８】
本考案に用いる通電用電源には乾電池を用いてもよいが、繰り返し使用できる点でリチウム電池等の二次電池が好ましい。
その中でも着火までの時間を短くするのに２Ｃレート以上の放電特性を有する、または、そのように制御された二次電池が好ましい。
【考案の効果】
【０００９】
本考案に係る着火器は、ガスライターのように燃焼性ガス等の火を付ける燃料を用いない点で安全性に優れ、コンパクトで携帯性に優れる。
【図面の簡単な説明】
【００１０】
【図１】本考案に係る着火器の例を示す。
【図２】着火器の構造例を示す。（ａ）はケースを除いた状態、（ｂ）は基板の下側の透視図を示す。
【図３】（ａ）は着火器の裏面側を示し、（ｂ）はケースを外した状態を示す。
【考案を実施するための最良の形態】
【００１１】
本考案に係る着火器１０の外観図を図１に示し、内部構造を図２に示す。
ケースの形状に制限はなく、図１はその一形態を示す。
ケース１１の表面には線香等の被着火材１を挿入する挿入孔１９を有し、この挿入孔１９に線香の先端を差し込み、操作ボタン２１を押すと通電が開始し、ＬＥＤランプ等の動作表示部２２が、例えば赤色に点燈し、着火までに要する所定の時間、例えば２〜５秒間経過すると動作表示部２２が点滅あるいは緑色等に替わり、着火完了を知らせる。
また、操作ボタン２１を押すと、ＬＥＤランプ等のバッテリ表示部が点燈し、例えばオレンジ色に点燈し、充電が必要であれば点滅等にて知らせる。
図２にはＬＥＤランプ等の表示を省略した内部構造例を示す。
ケース１１の蓋１２を取り外すと、バッテリー３０の交換が可能になっている。
基板１３に、セラミック等の耐熱材からなるベース部材１６を取付具１６ａを用いて取り付ける。
このベース部材１６には、うず巻き状の発熱体１４を配置し、制御部２０にて通電のＯＮ、ＯＦＦが制御されている。
また、制御部２０には、通電タイマーを有する。
発熱体（電熱体）１４の上方にはセラミックス等への耐熱材、あるいはステンレス等の金属製の筒状の外筒１５を取り付ける。
この外筒１５の底部側の側部に吸気孔１５ａを有する。
また、基板１３の下側には電気ファン等の小型の送風器を取り付け、送風孔１８からベース部材１６の下側に向けて送風される。
これにより被着火材１が発熱体１４に触れ、高温になり、送風されたエアーにより着火する。
このように着火点に向けてエアーを吹き付けてやると、太い線香にも容易に火が付く。
また、軽くエアーを吹き付けてやればよいので小さいモーターでファンを廻すものでよい。
なお、基板１３の制御部２０の動作をＯＮ、ＯＦＦ操作する操作ボタン２１及び充電アダプター用のジャック２４を模式的に表示してある。
図３にケース１１の裏面側を示すように蓋１２を取り外すとバッテリーケース３１を取り出すことができ、リチウム電池等のバッテリー３０の交換ができる。
また、ケース１１の裏面には送風器１７のエアーの吸込口１１ａが設けられている。
発熱体が速やかに高温になるようにリチウム電池等の二次電池では、２Ｃレート以上の放電特性を有するのが好ましい。
【符号の説明】
【００１２】
１        被着火材
１０      着火器
１１      ケース
１１ａ    吸込口
１２      蓋
１３      基板
１４      発熱体
１５      外筒
１５ａ    吸気孔
１６      ベース部材
１７      送風器
１８      送風孔
１９      挿入孔
２０      制御部
２１      操作ボタン
２２      動作表示部
２３      バッテリー表示部
２４      ジャック
３０      バッテリー
３１      バッテリーケース
【図１】
0003181055.tif 000003
【図２】
0003181055.tif 000004
【図３】
0003181055.tif 000005